(57)【要約】本発明は、面（２）に手軽にかつ素早く接合してカード、紙又は写真を把持するための装置に関する。装置は、表面の一つに接着剤を有していて面（２）に接合されるための第１部分（３）と、第１部分（３）から延びて第１鈍角（５）を形成する第２部分（４）と、第２部分（４）から延びて第２鈍角（７）を形成し、その端部は面（２）と接触するように設計される第３部分（６）と、を有するシートタイプの本体（１）を備え、少なくとも、第２部分（４）及び第３部分（６）は透明である。【選択図】図３
2017520436.tif 000002
【特許請求の範囲】
【請求項１】
ラミネート本体（１）であって、
‐  表面の一つに接着剤を有し、面（２）に接合されることが意図される第１部分（３）と、
‐  前記第１部分（３）から延びて第１鈍角（５）を形成する第２部分（４）と、
‐  前記第２部分（４）から始まって第２鈍角（７）を形成し、その端部が前記面（２）と接触することが意図される第３部分（６）と、を有し、
少なくとも、前記第２部分（４）及び前記第３部分（６）は透明である、ラミネート本体（１）を備える、
カード、紙又は写真のための、前記面（２）に接合されることが意図される把持装置。
【請求項２】
前記ラミネート本体（１）は、前記面（２）に接触することが意図されている前記第３部分（６）の端部から始まって第３鈍角（１０）を形成する第４部分（８）を更に有する、請求項１に記載の、カード、紙又は写真のための把持装置。
【請求項３】
前記第４部分（８）は穴（９）を有する、請求項２に記載の、カード、紙又は写真のための把持装置。
【請求項４】
前記第４部分（８）は透明である、請求項２に記載の、カード、紙又は写真のための把持装置。
【請求項５】
前記ラミネート本体（１）の形状と同一の形状を有し、前記第１部分（３）の接着剤を用いて前記本体の前記第１部分（３）に接合されるシートを更に有する、請求項１に記載の、カード、紙又は写真のための把持装置。
【請求項６】
前記ラミネート本体（１）はプラスチック製である、請求項１に記載の、カード、紙又は写真のための把持装置。
【請求項７】
少なくとも、前記第１部分（３）、前記第２部分（４）又は前記第３部分（６）は複数の貫通孔を有する、請求項１に記載の、カード、紙又は写真のための把持装置。
【発明の詳細な説明】
【技術分野】
【０００１】
本発明は、カード、紙又は写真の把持のための技術分野に関する。
【０００２】
より専門的には、それは、前記カード、紙又は写真を置く必要のある面に、手軽に且つ素早く設置するように特に設計された把持装置である。把持装置は、それが把持するカード、紙又は写真の完全な視認が可能となるように、少なくとも把持装置の表面の一部は透明である。
【背景技術】
【０００３】
今日、スペインや他の国々の多くの都市で、例えば、身体の不自由な人々に、又は、例えば、指定された地域に住む身体の不自由な人々に、限定している駐車場が幾らか存在する。
【０００４】
そのような場合、市役所は、限定駐車カードを発行する義務がある。この限定駐車カードは譲渡不可で、自動車の使用者がこれらの場所に駐車する権利があることを証明する役割を果たす。
【０００５】
指定された自動車がこれらの限定された場所に駐車する権利があることをチェックするためには、使用者は、使用者が必要事項を充足する場合に使用者に与えられる駐車カードを、常に自動車の中に携行することが必要である。つまり、使用者はこれらのカードを自動車の中の視認できる場所に常に所持していなければならない。
【０００６】
大抵の場合、使用者は、カードを自動車のグローブボックスの上で支持されたまま放置しがちである。使用者は、また、彼らが駐車料金を支払済であること及びその権利が有効であるまでの時間を表示する時間が印字された自分のチケットも、常にグローブボックスに入れる。
【発明の概要】
【発明が解決しようとする課題】
【０００７】
この解決法の問題は、使用者が前記自動車を使って移動しなければならないために、自動車が発進する時、カードは何にも固定されていないので、自動車がターンする時、カードがグローブボックス上のいたるところへ移動することである。この移動は、カードが移動し過ぎる又は落下する前にカードを取ろうと欲するドライバーの注意を散らす可能性があり、これは最終的には事故を起こすことになりかねない。この解決法のもう一つの欠点は、カードは移動してしまうので、それが溝の中に入ったり、グローブボックスと自動車の窓の間の隅に入ったり、カードを紛失したりすることさえあり得るということである。
【０００８】
従来技術で公知のもう一つの解決法は、粘着テープを使ってカードを自動車の窓に固定することである。このシステムに関する問題は、審美的には幾分不快に見えること、そして、その上、一旦カードを窓に固定すると、そこからそれを取り除くことができないということである。多くの場合、使用者は自分が望むときにカードを取り外し、そして挿入するというオプションを持ちたがり、彼らは、粘着テープによってそれを接着するというこのホームメイド的解決法を好まない。
【課題を解決するための手段】
【０００９】
本発明は、上述の問題を解決することを可能にする、カード、紙又は写真のための把持装置を提案するものである。それは、カード、紙又は写真を置きたいと望まれる面に接合されることが意図される把持装置であり、これらの対象物を十分視認することができるように、少なくとも１つの透明な部分を有する。
【００１０】
把持装置の形態は、把持装置が設置される面にそれを接合したとき、装置の残りの部分が、それが設置されている面に対して所望の位置にカード、紙又は写真を固定し続けるという、クランプタイプの固定効果を発揮することを可能にする形式を採用する、という意味がある。
【００１１】
本発明の装置の最もわかりやすい利用は、それを自動車の窓に接合させておき、その内装部分を用いて、前記装置の中に住民カードや身障者駐車カードを置くことである。しかしながら、本装置は、規制されている駐車場の支払伝票券を置くためや、その他の把持の用途のために自動車の中で使用してよい。
【００１２】
第１の例では、カードを把持装置に挿入し、使用者が望む全期間、そこに置いておくことができる。そして、第２の例では、使用者は、規制駐車場の支払券を整頓し、これらが視認できる場所にあることを確実にするために、これらを装置の中に挿入することができる。
【００１３】
本発明の把持装置が有している可能性のある他の用途は、壁や家具や家庭内の耐久消費財の上に、写真を置いて家やそのほかの生活空間を飾ることである。
【００１４】
同時に、把持装置は、例えば、それを家の中の家具の上又は壁の上に設置し、その家のテナントがそのままにしておきたい旨のメモをその中に挿入するために使用し、又はレストランの中で名刺やメニュー等を置いてゆくのに使用してよい。
【００１５】
本発明の把持装置の非常に優れた利点は、その装置がプラスチックのような安価な材料で製造されること及びその製造も安価であるということである。その理由は、それが、好ましくは、所望の形状にするための型抜き工程と、それらに所望の角度を与えてカード、紙又は写真を把持することを可能にするクランプ効果を発生させるためのプレス工程とを行うことによって製造されることによる。
【００１６】
記載されている明細書を補足するために、及びその好ましい実施形態によって本発明の特徴のより良い理解を助ける目的で、その一体的部分として前記明細書に添付されている、模式的かつ限定しない方式の一式の図面を、以下に示す。
【図面の簡単な説明】
【００１７】
【図１】図１は、カード、紙及び写真のための把持装置の斜視図である。
【図２】図２は、ラミネートプレートの平面図を示す。このラミネートプレートから２つのラミネート本体が得られ、これらが２つの把持装置を形成する。
【図３】図３は、居住者駐車カードを固定するために使用される把持装置の斜視図である。
【発明を実施するための形態】
【００１８】
本発明の例示的実施形態は図１〜３を用いて以下に詳述する。
【００１９】
図１から明らかなように、カード、紙又は写真のための把持装置は、その端部の内の一つを面に接合することによって前記面に設置されたとき、他の端部は、所望のカード、紙又は写真を壁に固着された状態に維持しようとするクランプ効果を発揮する。
【００２０】
装置は、連続したラミネート本体（１）を備える。ラミネート本体（１）は、その表面の内の一つに接着剤を有し、面（２）に接合されることが意図されている第１部分（３）を有している。これにより、把持装置を、壁に、窓に、金属面に、家具等に、接合することができる。
【００２１】
同時に、装置は、第１部分（３）から延びて第１鈍角（５）を形成する第２部分（４）と、第２部分（４）から始まって第２鈍角（７）を形成し、その端部は面（２）と接触することが意図されている第３部分（６）と、を有する。換言すると、鈍角の三角形が第２部分（４）、第３部分（６）と、面（２）との間に形成される。
【００２２】
第１部分（３）と第２部分（４）との間に形成される第１鈍角（５）は、装置が所定の位置に設置されているときに形成されるのが好ましい。換言すると、装置が設置されないときは(at rest)、第１部分（３）と第２部分（４）との間に角度はなく、それどころかむしろこれらは一線になる。第１鈍角（５）は、第１部分（３）が面（２）に接合されたときに形成される。この位置において、第２部分（４）は、前記面（２）と接合している第１部分（３）に関して９０°よりも大きな角度で面（２）を離れて延びる。上述のように、この実施形態においては、第１部分（３）と第２部分（４）はひとつの延びた部分である。そして、そのためこれらの間に頂点はないが、むしろ曲がりがある。第１鈍角（５）は、第２部分（４）の第１部分（３）に関する傾きの程度を示す。
【００２３】
面（２）と接触することが意図されている第３部分（６）の端部は、装置の形態により、把持装置の中で視認されることが必要なカード、紙又は写真を把持することが可能になる。
【００２４】
そのように、第１部分（３）を特定された面（２）に接合することにより、把持装置は前記面（２）の上に設置される。図３の例に見られるように、所望のカード、紙又は写真は、第２部分（４）及び第３部分（６）の背後で面（２）の上に置かれ、把持され、これらを第３部分（６）の端部が面（２）に対して押付けているために、前記位置に留められる。
【００２５】
少なくとも第２部分（４）及び第３部分（６）は透明である。そのため、これらは装置に挿入されたカード、紙又は写真の視認には影響しない。
【００２６】
第１部分（３）は、面（２）に接着されるように意図されているため、必ずしも透明である必要はない。また、このため、製造者は、この利点を利用し、それを任意の色彩としたり装飾的な図柄を施したりしてよい。宣伝資料も装置に挿入してよい。
【００２７】
本発明の実施形態において、ラミネート本体（１）は、第３部分（６）の端部から始まり、面（２）と接触することが意図されている第４部分（８）を更に有している。前記第４部分（８）は、第３部分（６）と、第３鈍角（１）を形成することが好ましい。
【００２８】
第４部分（８）の機能は、ラミネート本体（１）のより容易なグリップを可能とし、面（２）に圧力をかけている第３部分（６）の端部の表面で、これを面（２）から離すことができるようにすることであり、これにより、所望のカード、紙又は写真を楽に導き入れることができるようにすることである。前記第４部分（８）を放したとき、第３部分（６）の端部は所定の位置に戻り、挿入されているカード、紙又は写真を押しつけ、それにより、その位置に留める。
【００２９】
本発明の例示的実施形態においては、第４部分（８）は穴（９）を有する。穴（９）は装置をハンガーに掛けるのに用いてよいので、この穴（９）は、店舗においては、把持装置の展示を容易にする意図を有する。
【００３０】
本発明の一実施形態においては、把持装置は、ラミネート本体（１）の形状と同一形状のシートを更に有する。そして、シートは、前記第１部分（３）の接着剤を用いて、ラミネート本体（１）の第１部分（３）に接合される。このシートはラミネート本体（１）と同じ部分を有し、それらの部分は同じ角度で一緒に接合される。したがって、それは面（２）に対向するよう意図されているラミネート本体の外観に完全に適合する。
【００３１】
把持装置を使用しないときにラミネート本体（１）に接合されるのが、シートであり、そのシートは、将来の購買者が製品に対しより魅力を感じるように、宣伝資料又は装飾的模様を含んでよい。把持装置を使用する必要があるときは、シートをラミネート本体（１）の第１部分（３）から剥がすことによりそれを取り除いて、前記ラミネート本体（１）を所望の面（２）に接着し、所望のカード、紙又は写真をその後挿入する。
【００３２】
ラミネート本体（１）は好ましくはプラスチック製である。この材料は十分柔軟であるため、ラミネート本体を上述の形状とすることができ、これにより、カード、紙又は写真が挿入されているときに、使用者がそれを面（２）から離すことが可能となる。
【００３３】
好ましい実施形態において、本発明のラミネート本体の製造は、それぞれのラミネート本体（１）を切断するのに用いられる型抜き機械が適用されるプラスチック板から始めることによって行われる。それに続いて、ラミネート本体（１）はプレスに導入され、それによって上述の鈍角が得られるように所要の点で折り畳まれる。これらのプレスストロークによって、所望の最終形状が得られる。
【００３４】
図２においては、表示されている型抜き線によって把持装置の例示的実施形態が見られる。切断はこの型抜き線を用いて行われる。この場合、ただ１つの型抜きによって、同一の２つの装置を得ることが可能となるように形状が選択されている。これにより、その形状に起因するラミネートプレートの利点を最大限に利用する。
【００３５】
本発明のもう一つの実施形態において、少なくとも、第１部分（３）、第２部分（４）又は第３部分（６）は、複数の貫通孔を有する。これらの貫通孔は、ラミネート本体が切断されるのと同じ型抜き機械によって加工してもよく、装飾的機能を有してもよい。
【００３６】
上述のように、第２部分（４）及び第３部分（６）（ある場合には第４部分（８）も）は、カード、紙又は写真の視野を遮らないように透明でなければならない。しかしながら、例えば星形のような任意の形を有してよい貫通孔によって、把持装置を個人専用品にすることが可能である。
【図１】
2017520436.tif 000003
【図２】
2017520436.tif 000004
【図３】
2017520436.tif 000005
【国際調査報告】
2017520436.tif 000006
2017520436.tif 000007
2017520436.tif 000008
2017520436.tif 000009
2017520436.tif 000010
2017520436.tif 000011
2017520436.tif 000012
2017520436.tif 000013